(57)【要約】【課題】  本発明は、画素間の輝度のばらつきやちらつきを低減させて、高品質な画像を得ることのできる電界放出型ディスプレイ及びその駆動方法を提供することを課題とする。【解決手段】  蛍光体１９を有する前面板１１と、蛍光体１９と対向する冷陰極２７、カソード電極２３1〜２３m、及びゲート電極２５1〜２５nを有する背面板１２とを備え、最上層に設けられた複数の帯状電極であるゲート電極２５1〜２５nに所定の電圧を印加して、冷陰極２７から放出される電子ビームを振動させて画像を表示させる。【選択図】  図１
2007017912.tif 000002
【特許請求の範囲】
【請求項１】
蛍光体を有する前面板と、
絶縁層を介して積層された複数の電極と冷陰極エミッタとから構成される冷陰極を有する背面板とを備えた電界放出型ディスプレイにおいて、
前記積層された複数の電極のうち、最も前面板に近い電極が複数の帯状電極に分割され、該複数の帯状電極のうち少なくとも３つの帯状電極に所定のパルス状電圧が印加されて前記冷陰極から放出される電子ビームを振動させることを特徴とする電界放出型ディスプレイ。
【請求項２】
前記積層された複数の電極は、帯状とされた複数のカソード電極と、該複数のカソード電極と直交し、最も前面板に近い帯状とされた複数のゲート電極であることを特徴とする請求項１に記載の電界放出型ディスプレイ。
【請求項３】
前記積層された複数の電極は、帯状とされた複数のカソード電極と、該カソード電極と直交する帯状とされた複数のゲート電極と、該複数のゲート電極と対向し前記前面板に最も近い帯状とされた複数のフォーカス電極であることを特徴とする請求項１に記載の電界放出型ディスプレイ。
【請求項４】
前記積層された複数の電極は、板状とされた１つのカソード電極と、帯状とされた複数のゲート電極と、該複数のゲート電極と直交し前記前面板に最も近い帯状とされた複数のフォーカス電極であることを特徴とする請求項１に記載の電界放出型ディスプレイ。
【請求項５】
前記パルス状電圧は、走査ラインの水平走査期間が２つに分割されたときに一方の水平走査期間で電子ビームが振動するよう、電子ビームを放出すべき冷陰極に対応する帯状電極以外の少なくとも１つの帯状電極において一定でない電圧が印加されることを特徴とする請求項１〜４のいずれか１項に記載の電界放出型ディスプレイ。
【請求項６】
隣接する画素の輝度レベルに基づいて入力画像データを、前記電子ビームを振動させて画像が表示される第１画像データと、前記電子ビームを振動させないで画像が表示される第２の画像データとに分けるデータ処理手段を設けたことを特徴とする請求項１〜４のいずれか一項に記載の電界放出型ディスプレイ。
【請求項７】
蛍光体を有する前面板と、
絶縁層を介して積層された複数の電極と冷陰極エミッタとから構成される冷陰極を有する背面板とを備えた電界放出型ディスプレイの駆動方法において、
前記複数の電極のうち、最も前面板に近い電極を複数の帯状電極に分割し、
前記複数の帯状電極のうち、電子ビームを放出すべき冷陰極に対応する帯状電極と隣接する電極を少なくとも含む一方の側の帯状電極に印加する第１電圧と、前記電子ビームを放出すべき冷陰極に対応する帯状電極と他方で隣接する電極を少なくとも含むもう一方の側の帯状電極に印加する第２電圧との大小関係が時間的に切り替わるように電圧を印加して、前記電子ビームを振動させることを特徴とする電界放出型ディスプレイの駆動方法。
【発明の詳細な説明】
【技術分野】
【０００１】
本発明は、電界放出型ディスプレイ及びその駆動方法に係り、特に電子ビームを振動させる電界放出型ディスプレイ及びその駆動方法に関する。
【背景技術】
【０００２】
電界放出型ディスプレイ（Field Emission Display）の冷陰極として、Spint型冷陰極、ＳＣＥ（Surface Conduction  Electron  emitter）型冷陰極、炭素系材料により冷陰極エミッタを構成した冷陰極等が検討されている。また、炭素系材料としては、ＣＮＴ（Carbon  Nanotube）、ＧＮＦ（Graphite  Nanofiber）、ＤＬＣ（Diamond  Like  Carbon）等の評価が行われている。
【０００３】
しかし、冷陰極は、微細な形状であるため、複数の冷陰極を均一な形状に製造することは困難である。そのため、冷陰極間の形状のばらつきにより、冷陰極間の電子放出特性が異なってしまい、画素間において輝度にばらつきやちらつきが生じて、画質の劣化を引き起こしてしまうという問題があった。
【０００４】
このような問題を解決するために、予め各画素の輝度を測定してその差分を画像信号に重畳する方法（例えば、特許文献１参照。）、画素内の冷陰極の数を増加させて冷陰極の電子放出量を平均化する方法、各画素にＦＥＴ（Field Effect Transistor）を直列に配置させて、冷陰極エミッタに流れる電流を制御する方法（例えば、特許文献２参照。）、カソード電極と冷陰極もしくは電源との間に抵抗を設けて電流を制限する方法（例えば、特許文献３参照。）等が検討されている。
【特許文献１】特開２００３−２４８４５２号公報
【特許文献２】特開２００２−２４４５８８号公報
【特許文献３】特開２００１−２５０４６９号公報
【発明の開示】
【発明が解決しようとする課題】
【０００５】
しかしながら、電界放出型ディスプレイを高精細化した場合、画素の大きさは小さくなる傾向にあり、１つのサブピクセルに数多くの冷陰極を形成することは困難である。そのため、画素間の輝度のばらつきやちらつきが発生して、高品質な画像を得ることができないという問題があった。
【０００６】
また、大画面の電界放出型ディスプレイを高精細化した場合、小さな画素毎に数多くのＦＥＴやＴＦＴを設けることは困難であり、画素間の輝度のばらつきやちらつきが補償できず、高品質な画像を得ることができないという問題があった。
【０００７】
そこで本発明は、上述した問題点に鑑みなされたものであり、高精細な画面において、画素間の輝度のばらつきやちらつきを抑制して、高品質な画像を得ることのできる電界放出型ディスプレイ及びその駆動方法を提供することを目的とする。
【課題を解決するための手段】
【０００８】
本発明の一観点によれば、蛍光体を有する前面板と、絶縁層を介して積層された複数の電極と冷陰極エミッタとから構成される冷陰極を有する背面板とを備えた電界放出型ディスプレイにおいて、前記積層された複数の電極のうち、最も前面板に近い電極が複数の帯状電極に分割され、該複数の帯状電極のうち少なくとも３つの帯状電極に所定のパルス状電圧が印加されて前記冷陰極から放出される電子ビームを振動させることを特徴とする電界放出型ディスプレイが提供される。
【０００９】
本発明によれば、積層された複数の電極のうち、最も前面板に近い電極を複数の帯状電極に分割し、複数の帯状電極のうち少なくとも３つの帯状電極に所定のパルス状電圧を印加して、冷陰極から放出される電子ビームを振動させることにより、各画素に対応した蛍光体に電子を放出する冷陰極の個数を増加させて画素間の輝度のばらつきやちらつきを抑制して、高品質な画像を得ることができる。
【００１０】
本発明の他の観点によれば、蛍光体を有する前面板と、絶縁層を介して積層された複数の電極と冷陰極エミッタとから構成される冷陰極を有する背面板とを備えた電界放出型ディスプレイの駆動方法において、前記複数の電極のうち、最も前面板に近い電極を複数の帯状電極に分割し、前記複数の帯状電極のうち、電子ビームを放出すべき冷陰極に対応する帯状電極と隣接する電極を少なくとも含む一方の側の帯状電極に印加する第１電圧と、前記電子ビームを放出すべき冷陰極に対応する帯状電極と他方で隣接する電極を少なくとも含むもう一方の側の帯状電極に印加する第２電圧との大小関係が時間的に切り替わるように電圧を印加して、前記電子ビームを振動させることを特徴とする電界放出型ディスプレイの駆動方法が提供される。
【００１１】
本発明によれば、複数の電極のうち、最も前面板に近い電極を複数の帯状電極に分割し、複数の帯状電極のうち、電子ビームを放出すべき冷陰極に対応する帯状電極と隣接する電極を少なくとも含む一方の側の帯状電極に印加する第１電圧と、電子ビームを放出すべき冷陰極に対応する帯状電極と他方で隣接する電極を少なくとも含むもう一方の側の帯状電極に印加する第２電圧との大小関係が時間的に切り替わるように電圧を印加して、電子ビームを振動させることにより、各画素に対応した蛍光体に電子を放出する冷陰極の個数を増加させて画素間の輝度のばらつきやちらつきを抑制して、高品質な画像を得ることができる。
【発明の効果】
【００１２】
本発明は、高精細な画面において、画素間の輝度のばらつきやちらつきを低減させて、高品質な画像を得ることができる。
【発明を実施するための最良の形態】
【００１３】
次に、図面に基づいて本発明の実施の形態について説明する。
【００１４】
（第１の実施の形態）
図１は、本発明の第１の実施の形態の電界放出型ディスプレイの概略を示した斜視図である。図１において、Ａは３つのサブピルセルから構成される画素（以下、「画素Ａ」とする）、Ｂ1〜Ｂnは走査ライン（以下、「走査ラインＢ1〜Ｂn」とする）、Ｘ，Ｘ方向は走査ラインＢ1〜Ｂnの長手方向、Ｙ，Ｙ方向は走査ラインＢ1〜Ｂnと直交する方向をそれぞれ示している。
【００１５】
図１に示すように、電界放出型ディスプレイ１０は、ｎ本（ｎは自然数）の走査ラインＢ1〜Ｂnを有し、前面板１１と、背面板１２と、データ用ドライバ１３と、走査用ドライバ１４と、制御装置１５と、データ入力端子１６とを備えた構成とされている。
【００１６】
前面板１１は、基板１７と、アノード電極１８と、蛍光体１９とを有する。アノード電極１８は、基板１７の下面１７Ａ（背面板１２と対向する側の基板１７の面）を覆うように設けられている。蛍光体１９は、アノード電極１８を覆うように設けられている。蛍光体１９は、複数の赤色蛍光体１９Ａ、緑色蛍光体１９Ｂ、及び青色蛍光体１９Ｃから構成されている。複数の赤色蛍光体１９Ａ、緑色蛍光体１９Ｂ、及び青色蛍光体１９Ｃは、Ｘ，Ｘ方向に対して赤色蛍光体１９Ａ、緑色蛍光体１９Ｂ、青色蛍光体１９Ｃの順となるように配置されている。
【００１７】
背面板１２は、基板２１と、ｍ本（ｍは自然数）のカソード電極２３1〜２３mと、絶縁層２４と、ｎ本（ｎは自然数）のゲート電極２５1〜２５nと、複数の冷陰極２７とを有する。カソード電極２３1〜２３mとゲート電極２５1〜２５nとは、積層された複数の電極である。
【００１８】
カソード電極２３1〜２３mは、帯状とされた電極であり、その長手方向がＹ，Ｙ方向となるように基板２１の上面２１Ａに設けられている。カソード電極２３1〜２３mは、データ用ドライバ１３と接続されており、データ用電圧パルスが印加される。絶縁層２４は、カソード電極２３1〜２３mを覆うよう基板２１の上面２１Ａに設けられている。
【００１９】
ゲート電極２５1〜２５nは、帯状とされたｎ本の電極であり、積層された複数の電極のうち、最も前面板１１に近い位置に配置されている。ゲート電極２５1〜２５nは、その長手方向がＸ，Ｘ方向となるように（カソード電極２３1〜２３mと直交するように）絶縁層２４上に設けられている。ゲート電極２５1〜２５nは、走査用ドライバ１４と接続されており、ゲート電極２５1〜２５n毎に印加する電圧（所定の電圧）を変えることが可能な構成とされている。また、ゲート電極２５1〜２５nとカソード電極２３1〜２３mとが直交する領域Ｆには、複数の冷陰極２７が設けられている。
【００２０】
図２は、本実施の形態の冷陰極の断面図である。図２に示すように、冷陰極２７は、基板２１上に設けられており、カソード電極２３と、絶縁層２４と、ゲート電極２５と、冷陰極エミッタ２９とを有する。絶縁層２４及びゲート電極２５には、カソード電極２３を露出する開口部２８が形成されている。冷陰極エミッタ２９は、開口部２８に露出されたカソード電極２３上に設けられている。冷陰極エミッタ２９は、電子を放出するためのものである。
【００２１】
図３及び図４は、電子ビームを偏向させたときの電界放出型ディスプレイの断面図を模式的に示した図である。なお、図３及び図４において、ゲート電極２５k-1（ｋは２≦ｋ≦ｎ−１の自然数）に印加する電圧ＶＧk-1、ゲート電極２５kに印加する電圧をＶＧk、ゲート電極２５k+1に印加する電圧をＶＧk+1として以下の説明を行なう。
【００２２】
ここで、図３及び図４を参照し、ゲート電極２５kと対応した冷陰極２７kからの電子ビームＥを偏向させる場合を例に挙げて、電子ビームＥの偏向方法について説明する。
【００２３】
図３に示すように、冷陰極２７kから放出された電子ビームＥをゲート電極２５k-1側（電界放出型ディスプレイ１０の上方側）に偏向させる場合、電子ビームＥを放出すべき冷陰極２７kに対応するゲート電極２５kに電圧ＶＧk（電子が放出する電圧）を印加すると共に、一方の側でゲート電極２５kと隣接するゲート電極２５k-1に電圧ＶＧk-1（第１電圧）と、他方の側でゲート電極２５kと隣接するゲート電極２５k+1に電圧ＶＧk+1（第２電圧）とを印加する。電圧ＶＧk-1，ＶＧk+1は、ＶＧk＞ＶＧk-1＞ＶＧk+1となるような電圧である。
【００２４】
このように、ゲート電極２５kの両側に隣接するゲート電極２５k-1，２５k+1にＶＧk＞ＶＧk-1＞ＶＧk+1となるような電圧ＶＧk-1，ＶＧk+1を印加することにより、図３に示すような等電位線Ｄ１を形成して、冷陰極２７kから放出された電子ビームＥをゲート電極２５k-1側に偏向させることができる。
【００２５】
図４に示すように、冷陰極２７kから放出された電子ビームＥをゲート電極２５k+1側（電界放出型ディスプレイ１０の下方側）に偏向させる場合には、電子ビームＥを放出すべき冷陰極２７kに対応するゲート電極２５kに電圧ＶＧk（電子が放出する電圧）を印加すると共に、一方の側でゲート電極２５kと隣接するゲート電極２５k-1に電圧ＶＧk-1（第１電圧）と、他方の側でゲート電極２５kと隣接するゲート電極２５k+1に電圧ＶＧk+1（第２電圧）とを印加する。電圧ＶＧk-1，ＶＧk+1は、ＶＧk＞ＶＧk+1＞ＶＧk-1となるような電圧である。
【００２６】
このように、ゲート電極２５kに隣接するゲート電極２５k-1，２５k+1にＶＧk＞ＶＧk+1＞ＶＧk-1となるような電圧ＶＧk-1，ＶＧk+1を印加することにより、図４に示すような等電位線Ｄ２を形成して、冷陰極２７kから放出された電子ビームＥをゲート電極２５k+1側に偏向させることができる。
【００２７】
また、ゲート電極２５k-1，２５k+1に印加する電圧ＶＧk-1，ＶＧk+1の大小関係が時間的に切り替わるように電圧を印加することにより、ゲート電極２５kに対応する冷陰極２７kから放出される電子ビームＥを電界放出型ディスプレイ１０のＹ，Ｙ方向に振動させることが可能となる。
【００２８】
このように、電子ビームＥを放出すべき冷陰極２７kに対応するゲート電極２５kに電圧ＶＧk（電子が放出する電圧）を印加すると共に、隣接する一方の側のゲート電極２５k-1に印加する電圧ＶＧk-1（第１電圧）と、ゲート電極２５kに隣接するもう一方の側のゲート電極２５k+1に印加する電圧ＶＧk+1（第２電圧）との大小関係が時間的に切り替わるように電圧を印加することにより、各画素Ａに対応した蛍光体１９に電子を放出する冷陰極２７の個数を増加させることができる。これにより、各冷陰極エミッタ２９の電子放出特性が画像に及ぼす影響を小さくして、画素Ａ間の輝度のばらつきやちらつきを抑制した高品質な画像を得ることができる。
【００２９】
なお、図３及び図４では、電子ビームＥを放出すべき冷陰極２７kに対応するゲート電極２５kの両側に隣接するゲート電極２５k-1，２５k+1のみ電圧を印加した場合を例に挙げて説明したが、ゲート電極２５kの両側に隣接するゲート電極２５k-1，２５k+1を含む複数のゲート電極に電圧を印加してもよい。つまり、電子ビームＥを放出すべき冷陰極２７kに対応するゲート電極２５kと隣接するゲート電極２５k-1を少なくとも含む一方の側のゲート電極に電圧ＶＧk-1を印加し、ゲート電極２５kと他方で隣接するゲート電極２５k+1を少なくとも含むもう一方の側のゲート電極に電圧ＶＧk+1を印加してもよい。要は、図３及び図４に示すような等電位線Ｄ１，Ｄ２が形成されればよく、この場合も電子ビームＥを放出すべき冷陰極２７kに対応するゲート電極２５kの両側に隣接するゲート電極２５k-1，２５k+1のみに電圧を印加した場合と同様な効果を得ることができる。
【００３０】
次に、図１を参照して、データ用ドライバ１３について説明する。データ用ドライバ１３は、ｍ個の駆動回路（図示せず）を有しており、各駆動回路はカソード電極２３1〜２３mのいずれか１つと接続されている。データ用ドライバ１３は、制御装置１５と接続されており、制御装置１５からの制御信号に基づいて、カソード電極２３1〜２３mに電圧を印加する。
【００３１】
走査用ドライバ１４は、ｎ個の駆動回路（図示せず）を有しており、各駆動回路はゲート電極２５1〜２５nのいずれか１つと接続されている。走査用ドライバ１４は、制御装置１５と接続されており、制御装置１５からの制御信号に基づいて、ゲート電極２５1〜２５nに電圧を印加する。
【００３２】
制御装置１５は、電界放出型ディスプレイ１０の制御全般を行なうものであり、データ処理手段３０を有する。制御装置１５は、制御信号によりデータ用ドライバ１３及び走査用ドライバ１４を制御する。データ入力端子１６は、外部から入力画像データａを受信するための端子である。
【００３３】
ここで、表示画像の輝度レベルと解像度との関係について説明する。表示画像において、輝度レベルの変化が小さい画像形成領域では輝度のばらつきやちらつきによる視認性の影響は大きいが、解像度の劣化による視認性の影響は小さい。一方、輝度レベルの変化が大きい画像領域では輝度のばらつきやちらつきによる視認性の影響は小さいが、解像度の劣化による視認性の影響は大きい。
【００３４】
データ処理手段３０は、データ入力端子１６及びデータ用ドライバ１３と接続されている。データ処理手段３０は、データ入力端子１６からの入力画像データａを予め入力された隣接する画素の輝度レベルの差の閾値Ｇに基づいて、隣接する画素Ａの輝度レベルの変化が小さい領域の第１画像データと、隣接する画素Ａの輝度レベルの変化が大きい領域の第２画像データとに分けて、第１画像データ及び第２画像データをデータ用ドライバ１３に送信する。データ処理手段３０は、隣接する画素Ａの輝度レベルが予め入力された輝度レベルの差の閾値Ｇよりも小さい場合には第１画像データとし、隣接する画素Ａの輝度レベルが予め入力された閾値Ｇよりも大きい場合には第２画像データとする。また、第１画像データを表示する際には電子ビームＥを振動させ、第２画像データを表示する際には電子ビームＥを振動させない。
【００３５】
このように、入力画像データａを予め入力された閾値Ｇに基づいて、輝度レベルの変化が小さい領域の第１画像データと輝度レベルの変化が大きい領域の第２画像データとに分けるデータ処理手段３０を設けると共に、電子ビームＥを振動させて第１画像データを表示させ、電子ビームＥを振動させないで第２画像データを表示させることにより、電子ビームＥを振動させることによる表示画像の解像度の劣化を抑制することができる。なお、予め入力された閾値Ｇは、ディスプレイの性能に応じて、適宜最適な値を選択することができる。
【００３６】
図５は、本実施の形態の電界放出型ディスプレイの駆動波形の一例を示した図である。図５において、（ａ）はゲート電極２５1〜２５k-1に印加する電圧パルスの波形、（ｂ）はゲート電極２５kに印加する電圧パルスの波形、（ｃ）はゲート電極２５k+1に印加する電圧パルスの波形、（ｄ）はゲート電極２５k+2〜２５nに印加する電圧パルスの波形をそれぞれ示している。
【００３７】
次に、図５を参照し、走査ラインＢk（ｋは１≦ｋ≦ｎの自然数）を走査する場合を例に挙げて、電界放出型ディスプレイ１０の駆動方法について説明する。
【００３８】
本実施の形態の電界放出型ディスプレイ１０では、１水平走査期間（１Ｈ）を２つの期間に分割し、前半のＨ／２の期間を用いて、電子ビームＥを振動させて画像を表示させ、後半のＨ／２の期間を用いて、電子ビームＥを振動させない方法で画像を表示させる。
【００３９】
具体的には、時刻ｔ1において、走査ラインＢkに対応するゲート電極２５kに電圧ＶGE（電子が放出される電圧値）、ゲート電極２５1〜２５k-1に電圧ＶGS、ゲート電極２５k+1〜２５nに電圧ＶG0をそれぞれ印加する（ＶGE＞ＶG0＞ＶGS）。これにより、先の図４で説明したような等電位線Ｄ２が形成され、冷陰極２７kから放出された電子ビームＥは冷陰極２７k＋1側に偏向される。
【００４０】
次に、時刻ｔ2おいて、ゲート電極２５1〜２５k-1に電圧ＶG0、ゲート電極２５k+1〜２５nに電圧ＶGSをそれぞれ印加する。これにより、先の図３で説明したような等電位線Ｄ１が形成され、冷陰極２７kから放出された電子ビームＥは冷陰極２７k-1側に偏向される。また、前半のＨ／２の期間（時刻ｔ1〜ｔ3の間）では、第１画像データに対応するデータ用電圧パルスをカソード電極２３1〜２３mに印加する。
【００４１】
このように、１水平走査期間（１Ｈ）の前半のＨ／２の期間（時刻ｔ1〜ｔ3の間）において、ゲート電極２５1〜２５k-1とゲート電極２５k+1〜２５nとに位相を半波長ずらした電圧パルス（電子ビーム偏向用の電圧パルス）を印加し、カソード電極２３1〜２３mに第１画像データに対応するデータ用電圧パルスを印加することにより、電子ビームＥを振動させて、輝度レベルの変化の小さい第１画像データを表示させることができる。なお、前半のＨ／２の期間において、ゲート電極２５1〜２５k-1及びゲート電極２５k+1〜２５nに印加する電圧パルスのパルス数は１つ以上であればよく、本実施の形態に限定されない。
【００４２】
次に、時刻ｔ3において、ゲート電極２５k+1〜２５nに電圧ＶG0を印加して、後半のＨ／２の期間（時刻ｔ3〜ｔ4の間）において、電子ビームＥを振動させないで輝度レベルの変化の大きい第２画像データを表示させる。この際、後半のＨ／２の期間（時刻ｔ3〜ｔ4の間）において、カソード電極２３1〜２３mには、第２画像データに対応するデータ用電圧パルスを印加する。
【００４３】
続く、時刻ｔ4〜ｔ6の１水平走査期間に走査ラインＢk+1を走査する場合においても、走査ラインＢkと同様な手法により走査することができる。また、他の走査ラインＢ1〜Ｂk-1，Ｂk+2〜Ｂnについても、走査ラインＢkと同様な手法により走査することができる。また、電圧ＶG0は、例えば、０Ｖとすることができる。
【００４４】
本実施の形態によれば、１水平走査期間（１Ｈ）を２つに分割し、前半のＨ／２の期間を用いて電子ビームＥを振動させて第１画像データを表示させ、後半のＨ／２の期間を用いて電子ビームＥを振動させないで第２画像データを表示させることにより、各画素Ａに対応した蛍光体１９に電子を放出する冷陰極２７の個数を増加させて、各冷陰極エミッタ２９の電子放出特性が画像に及ぼす影響を小さくして、表示画像の解像度の劣化を抑制して、高品質な画像を表示させることができる。
【００４５】
（第２の実施の形態）
図６は、本発明の第２の実施の形態の電界放出型ディスプレイの概略を示した斜視図である。図６において、第１の実施の形態の電界放出型ディスプレイ１０と同一構成部分には同一符号を付す。
【００４６】
図６に示すように、電界放出型ディスプレイ４０は、ｎ本の走査ラインＢ1〜Ｂnを有し、前面板１１と、データ用ドライバ１３と、走査用ドライバ１４と、制御装置１５と、データ入力端子１６と、背面板４１と、フォーカス電極用ドライバ４６とを備えた構成とされている。
【００４７】
背面板４１は、基板２１と、ｍ本のカソード電極２３1〜２３mと、絶縁層２４，４２と、ｎ本のゲート電極２５1〜２５nと、ｎ本のフォーカス電極４３1〜４３nと、複数の冷陰極４５とを有する。つまり、背面板４１は、第１の実施の形態の背面板１２の構成にさらに絶縁層４２とフォーカス電極４３1〜４３nとを設けると共に、冷陰極２７の代わりに冷陰極４５を設けた構成とされている。
【００４８】
カソード電極２３1〜２３m、ゲート電極２５1〜２５n、及びｎ本のフォーカス電極４３1〜４３nは、積層された複数の電極である。絶縁層４２は、ゲート電極２５1〜２５nを覆うように絶縁層２４上に設けられている。
【００４９】
フォーカス電極４３1〜４３nは、帯状とされたｎ本の電極であり、積層された複数の電極のうち、最も前面板１１に近い位置に配置されている。フォーカス電極４３1〜４３nの長手方向は、Ｘ，Ｘ方向とされており、ゲート電極２５1〜２５nと対向するよう絶縁層４２上に設けられている。
【００５０】
フォーカス電極４３1〜４３nは、フォーカス電極用ドライバ４６と接続されており、フォーカス電極用ドライバ４６によりフォーカス電極４３1〜４３n毎に電圧が印加可能な構成とされている。フォーカス電極４３1〜４３nは、電子ビームＥを集束させるための電極である。
【００５１】
冷陰極４５は、ゲート電極２５1〜２５n及びフォーカス電極４３1〜４３nとカソード電極２３1〜２３mとが直交する領域Ｊに複数設けられている。
【００５２】
図７は、本実施の形態の冷陰極の断面図である。図７に示すように、冷陰極４５は、基板２１上に設けられており、カソード電極２３と、絶縁層２４，４２と、ゲート電極２５と、冷陰極エミッタ２９と、フォーカス電極４３とにより構成されている。また、絶縁層２４，４２、ゲート電極２５、及びフォーカス電極４３には、カソード電極２３を露出する開口部４８が形成されている。
【００５３】
図６に示すように、フォーカス電極用ドライバ４６は、ｎ個の駆動回路を有しており、各駆動回路はフォーカス電極４３1〜４３nのいずれか１つと接続されている。フォーカス電極用ドライバ４６は、制御装置１５と接続されており、制御装置１５からの制御信号に基づいて、フォーカス電極４３1〜４３n毎に電圧を印加する。
【００５４】
図８及び図９は、電子ビームを偏向させたときの電界放出型ディスプレイの断面図を模式的に示した図である。図８及び図９において、フォーカス電極４３k-1（ｋは１≦ｋ≦ｎの自然数）に印加する電圧をＶＦk-1、フォーカス電極４３kに印加する電圧をＶＦk、フォーカス電極４３k+1に印加する電圧をＶＦk+1として以下の説明を行なう。
【００５５】
次に、図８及び図９を参照し、フォーカス電極４３kに対応する冷陰極４５kから放出される電子ビームＥを偏向させる場合を例に挙げて、電子ビームＥの偏向方法について説明する。
【００５６】
図８に示すように、冷陰極４５kから放出された電子ビームＥをフォーカス電極４３k-1側（電界放出型ディスプレイ４０の上方側）に偏向させる場合には、フォーカス電極４３kに電子ビームＥが集束する電圧ＶＦkを印加すると共に、一方の側でフォーカス電極４３kと隣接するフォーカス電極４３k-1に電圧ＶＦk-1（第１電圧）と、他方の側でフォーカス電極４３kと隣接するフォーカス電極４３k+1に電圧ＶＦk-1よりも小さい電圧ＶＦk+1（第２電圧）とを印加する。
【００５７】
このように、フォーカス電極４３kに電子ビームＥが集束する電圧ＶＦkを印加すると共に、フォーカス電極４３kに隣接するフォーカス電極４３k-1，４３k+1にＶＦk-1＞ＶＦk+1となる電圧ＶＦk-1，ＶＦk+1を印加することにより、図８に示すような等電位線Ｄ３を形成して、冷陰極４５kから放出された電子ビームＥを集束させると共に、集束された電子ビームＥをフォーカス電極４３k-1側に偏向させることができる。
【００５８】
なお、この場合、フォーカス電極４３k-1，４３k+1に印加する電圧ＶＦk-1，ＶＦk+1は、ＶＦk-1＞ＶＦk＞ＶＦk+1の関係を満たすように設定するとよい。このように、電圧ＶＦk-1を電圧ＶＦkよりも大きくすることにより、冷陰極４５kから放出された電子ビームＥを偏向させやすくすることができる。
【００５９】
図９に示すように、冷陰極４５kから放出された電子ビームＥをフォーカス電極４３k+1側（電界放出型ディスプレイ４０の下方側）に偏向させる場合には、フォーカス電極４３kに電子ビームＥが集束する電圧ＶＦkを印加すると共に、一方の側でフォーカス電極４３kと隣接するフォーカス電極４３k-1に電圧ＶＦk-1（第１電圧）と、他方の側でフォーカス電極４３kと隣接するフォーカス電極４３k+1に電圧ＶＦk-1よりも大きい電圧ＶＦk+1（第２電圧）とを印加する。
【００６０】
このように、フォーカス電極４３kに電子ビームＥが集束する電圧ＶＦkと、フォーカス電極４３k-1，４３k+1にＶＦk-1＜ＶＦk+1となるような電圧ＶＦk-1，ＶＦk+1とを印加することにより、図９に示すような等電位線Ｄ４を形成して、冷陰極４５kから放出された電子ビームＥを集束させると共に、集束された電子ビームＥをフォーカス電極４３k+1側に偏向させることができる。
【００６１】
なお、この場合、フォーカス電極４３k-1，４３k+1に印加する電圧ＶＦk-1，ＶＦk+1は、ＶＦk+1＞ＶＦk＞ＶＦk-1の関係を満たすように設定するとよい。このように、電圧ＶＦk+1を電圧ＶＦkよりも大きくすることにより、冷陰極４５kから放出された電子ビームＥを偏向させやすくすることができる。
【００６２】
また、フォーカス電極４３k-1，４３k+1に印加する電圧ＶＦk-1，ＶＦk+1の大小関係が時間的に切り替わるように電圧を印加することにより、フォーカス電極４３kにより集束された電子ビームＥを振動させることができる。
【００６３】
このように、電子ビームＥを放出すべき冷陰極４５kに対応するフォーカス電極４３kに電圧ＶＦk（電子ビームＥが集束する電圧）を印加すると共に、一方の側でフォーカス電極４３kと隣接するフォーカス電極４３k-1に印加する電圧ＶＦk-1（第１電圧）と、他方の側でフォーカス電極４３kと隣接するフォーカス電極４３k+1に印加する電圧ＶＦk+1（第２電圧）との大小関係が時間的に切り替わるように電圧を印加することにより、フォーカス電極４３kにより集束された電子ビームＥを振動させて、各画素Ａに対応した蛍光体１９に電子を放出する冷陰極４５の個数を増加させて、画素Ａ間の輝度のばらつきやちらつきを抑制して、さらに高品質な画像を得ることができる。
【００６４】
なお、図８及び図９では、電子ビームＥを放出すべき冷陰極４５kに対応するフォーカス電極４３kの両側に隣接するフォーカス電極４３k-1，４３k+1のみ電圧を印加した場合を例に挙げて説明したが、フォーカス電極４３kの両側に隣接するフォーカス電極４３k-1，４３k+1を含む複数のフォーカス電極に電圧を印加してもよい。つまり、電子ビームＥを放出すべき冷陰極４５kに対応するフォーカス電極４３kと隣接するフォーカス電極４３k-1を少なくとも含む一方の側のフォーカス電極に電圧ＶＦk-1を印加し、フォーカス電極４３kと他方で隣接するフォーカス電極４３k+1を少なくとも含むもう一方の側のフォーカス電極に電圧ＶＦk+1を印加してもよい。要は、図８及び図９に示すような等電位線Ｄ３，Ｄ４が形成されればよく、この場合もフォーカス電極４３kの両側に隣接するフォーカス電極４３k-1，４３k+1のみに電圧を印加した場合と同様な効果を得ることができる。
【００６５】
図１０は、本実施の形態の電界放出型ディスプレイの駆動波形の一例を示した図である。図１０において、（ａ）はゲート電極２５1〜２５k-1に印加する電圧パルスの波形、（ｂ）はゲート電極２５kに印加する電圧パルスの波形、（ｃ）はゲート電極２５k+1に印加する電圧パルスの波形、（ｄ）はゲート電極２５k+2〜２５nに印加する電圧パルスの波形、（ｅ）はフォーカス電極４３1〜４３k-1に印加する電圧パルスの波形、（ｆ）はフォーカス電極４３kに印加する電圧パルスの波形、（ｇ）フォーカス電極４３k+1に印加する電圧パルスの波形、（ｈ）はフォーカス電極４３k+2〜４３nに印加する電圧パルスの波形をそれぞれ示している。
【００６６】
次に、図１０を参照して、走査ラインＢk（ｋは１≦ｋ≦ｎの自然数）を走査する場合を例に挙げて、電界放出型ディスプレイ４０の駆動方法について説明する。
【００６７】
本実施の形態の電界放出型ディスプレイ４０においても第１の実施の形態の電界放出型ディスプレイ１０と同様に、１水平走査期間（１Ｈ）を２つの期間に分割し、前半のＨ／２の期間に電子ビームＥを振動させて第１画像データを表示させ、後半のＨ／２の期間に電子ビームＥを振動させないで第２画像データを表示させる。
【００６８】
具体的には、時刻ｔ1において、走査ラインＢkに対応するゲート電極２５kに電圧ＶGE、それ以外のゲート電極２５1〜２５k-1，２５k+1〜２５nに電圧ＶG0、ゲート電極２５kと対向するフォーカス電極４３kに電圧ＶFF（電子ビームＥを放出し集束させる電圧）、一方の側でフォーカス電極４３kと隣接するフォーカス電極４３1〜４３k-1に電子ビームＥを偏向させるための電圧ＶFW、他方の側でフォーカス電極４３kと隣接するフォーカス電極４３k+1〜４３nに電子ビームＥを偏向させるための電圧ＶF0をそれぞれ印加すると共に、カソード電極２３1〜２３mに第１画像データに対応するデータ用電圧パルスを印加する。なお、電圧ＶF0，ＶFF，ＶFWは、ＶF0＞ＶFF＞ＶFWの関係を満たす電圧である。
【００６９】
これにより、時刻ｔ1〜ｔ2の期間において、先の図９で説明したような等電位線Ｄ４が形成され、冷陰極４５kから放出された電子ビームＥは集束され、集束された電子ビームＥは冷陰極４５k＋1側（電界放出型ディスプレイ４０の下方側）に偏向される。
【００７０】
次に、時刻ｔ2おいて、フォーカス電極４３1〜４３k-1に電子ビームＥを偏向させるための電圧ＶF0、フォーカス電極４３k+1〜４３nに電子ビームＥを偏向させるための電圧ＶFWをそれぞれ印加する。
【００７１】
これにより、時刻ｔ2〜ｔ3の期間において、先の図８で説明したような等電位線Ｄ３が形成され、冷陰極４５kから放出された電子ビームＥは集束され、集束された電子ビームＥは冷陰極４５k-1側（電界放出型ディスプレイ４０の上方側）に偏向される。
【００７２】
このように、１水平走査期間（１Ｈ）の前半のＨ／２の期間において、フォーカス電極４３1〜４３k-1とフォーカス電極４３k+1〜４３nとに位相を半波長ずらした電圧パルス（電子ビーム偏向用の電圧パルス）を印加し、カソード電極２３1〜２３mに第１画像データに対応するデータ用電圧パルスを印加することにより、冷陰極４５kから放出された電子ビームＥを集束させると共に、集束させた電子ビームＥを振動させて、第１画像データに対応する画像を表示させることができる。
【００７３】
なお、前半のＨ／２の期間において、フォーカス電極４３1〜４３k-1及びフォーカス電極４３k+1〜４３nに印加する電圧パルスのパルス数は１つ以上であればよく、本実施の形態に限定されない。
【００７４】
次に、時刻ｔ3において、フォーカス電極４３k+1〜４３nに電圧ＶF0を印加すると共に、カソード電極２３1〜２３mに第２画像データに対応するデータ用電圧パルスを印加して、後半のＨ／２の期間に電子ビームＥを振動させないで第２画像データに対応する画像を表示させる。
【００７５】
続く、時刻ｔ4〜ｔ6の水平走査期間に走査ラインＢk+1を走査する場合においても、走査ラインＢkと同様な手法により走査することができる。また、他の走査ラインＢ1〜Ｂk-1，Ｂk+2〜Ｂnについても、走査ラインＢkと同様な手法により走査することができる。
【００７６】
本実施の形態によれば、１水平走査期間（１Ｈ）を２つに分割し、前半のＨ／２の期間を用いて集束された電子ビームＥを振動させて第１画像データを表示させ、後半のＨ／２の期間を用いて集束された電子ビームＥを振動させないで第２画像データを表示させることにより、各画素Ａに対応した蛍光体１９に電子を放出する冷陰極４５の個数を増加させて、画素Ａ間の輝度のばらつきやちらつきを抑制して、さらに高品質な画像を表示することができる。
【００７７】
（第３の実施の形態）
図１１は、本発明の第３の実施の形態の電界放出型ディスプレイの概略を示した斜視図である。図１１において、第２の実施の形態の電界放出型ディスプレイ４０と同一構成部分には同一符号を付す。
【００７８】
図１１に示すように、電界放出型ディスプレイ５０は、ｎ本の走査ラインＢ1〜Ｂnを有し、前面板１１と、データ用ドライバ１３と、走査用ドライバ１４と、制御装置１５と、データ入力端子１６と、背面板５１と、カソード用駆動回路５５とを備えた構成とされている。
【００７９】
背面板５１は、基板２１と、ｍ本（ｍは自然数）のゲート電極２５1〜２５mと、絶縁層２４，４２と、ｎ本（ｎは自然数）のフォーカス電極４３1〜４３nと、カソード電極５２と、複数の冷陰極５３とを有する。
【００８０】
ゲート電極２５1〜２５mは、その長手方向がＹ，Ｙ方向となるように絶縁層２４上に設けられている。ゲート電極２５1〜２５mは、データ用ドライバ１３と接続されており、データ用電圧パルスが印加される。
【００８１】
フォーカス電極４３1〜４３nは、帯状とされたｎ本の電極であり、積層された複数の電極のうち、最も前面板１１に近い位置に配置されている。フォーカス電極４３1〜４３nは、その長手方向がＸ，Ｘ方向となるよう絶縁層４２上に設けられている。フォーカス電極４３1〜４３nは、走査用ドライバ１４と接続されており、走査用電圧パルスが印加される。フォーカス電極４３1〜４３nは、ゲート電極２５1〜２５mと直交する電極である。
【００８２】
カソード電極５２は、板状とされた１つの電極であり、複数の冷陰極５３に対して共通の電極とされている。カソード電極５２は、カソード用駆動回路５５と接続されている。
【００８３】
このように、カソード電極５２を１枚の板状の電極とすることにより、カソード電極５２をパターニングする工程が不要となるため、電界放出型ディスプレイ５０の製造工程を簡略化できる。また、カソード電極５２に必要な駆動回路は、１つでよいため、カソード用駆動回路がｍ個必要である第２の実施の形態の電界放出型ディスプレイ４０と比較して、駆動回路数を削減することができる。
【００８４】
冷陰極５３は、ゲート電極２５1〜２５mとフォーカス電極４３1〜４３nとが直交する領域Ｋに複数設けられている。冷陰極５３は、カソード電極２３1〜２３mの代わりにカソード電極５２を備えた以外は、第２の実施の形態の冷陰極４５と同様な構成とされている。
【００８５】
図１２及び図１３に、電子ビームを偏向させたときの電界放出型ディスプレイの断面図を模式的に示した図を示す。
【００８６】
図１２に示すように、冷陰極５３kから放出された電子ビームＥをフォーカス電極４３k-1側（電界放出型ディスプレイ５０の上方側）に偏向させる場合には、フォーカス電極４３kに電子ビームＥが集束する電圧ＶＦkを印加すると共に、一方の側でフォーカス電極４３kと隣接するフォーカス電極４３k-1に電圧ＶＦk-1（第１電圧）と、他方の側でフォーカス電極４３kと隣接するフォーカス電極４３k+1に電圧ＶＦk-1よりも小さい電圧ＶＦk+1（第２電圧）とを印加する。これにより、図１２に示すような等電位線Ｄ５を形成して、冷陰極５３kから放出された電子ビームＥを集束させると共に、集束された電子ビームＥをフォーカス電極４３k-1側に偏向させることができる。
【００８７】
図１３に示すように、冷陰極５３kから放出された電子ビームＥをフォーカス電極４３k+1側（電界放出型ディスプレイ５０の下方側）に偏向させる場合には、フォーカス電極４３kに電子ビームＥが集束する電圧ＶＦkを印加すると共に、一方の側でフォーカス電極４３kと隣接するフォーカス電極４３k-1に電圧ＶＦk-1（第１電圧）と、他方の側でフォーカス電極４３kと隣接するフォーカス電極４３k+1に電圧ＶＦk-1よりも大きい電圧ＶＦk+1（第２電圧）とを印加する。これにより、図１３に示すような等電位線Ｄ６を形成して、冷陰極４５kから放出された電子ビームＥを集束させると共に、集束された電子ビームＥをフォーカス電極４３k+1側に偏向させることができる。
【００８８】
また、フォーカス電極４３k-1，４３k+1に印加する電圧ＶＦk-1，ＶＦk+1の大小関係が時間的に切り替わるように電圧を印加することにより、フォーカス電極４３kにより集束された電子ビームＥを振動させることができる。
【００８９】
なお、図１２及び図１３では、電子ビームＥを放出すべき冷陰極５３kに対応するフォーカス電極４３kの両側に隣接するフォーカス電極４３k-1，４３k+1のみ電圧を印加した場合を例に挙げて説明したが、フォーカス電極４３kの両側に隣接するフォーカス電極４３k-1，４３k+1を含む複数のフォーカス電極に電圧を印加してもよい。つまり、電子ビームＥを放出すべき冷陰極５３kに対応するフォーカス電極４３kと隣接するフォーカス電極４３k-1を少なくとも含む一方の側のフォーカス電極に電圧ＶＦk-1を印加し、フォーカス電極４３kと他方で隣接するフォーカス電極４３k+1を少なくとも含むもう一方の側のフォーカス電極に電圧ＶＦk+1を印加してもよい。要は、図１２及び図１３に示すような等電位線Ｄ５，Ｄ６が形成されればよく、この場合もフォーカス電極４３kの両側に隣接するフォーカス電極４３k-1，４３k+1のみに電圧を印加した場合と同様な効果を得ることができる。
【００９０】
図１４は、本実施の形態の電界放出型ディスプレイの駆動波形の一例を示した図である。図１４において、（ａ）はフォーカス電極４３1〜４３k-1に印加される電圧パルスの波形、（ｂ）はフォーカス電極４３kに印加される電圧パルスの波形、（ｃ）はフォーカス電極４３k+1に印加される電圧パルスの波形、（ｄ）はフォーカス電極４３k+2〜４３nに印加される電圧パルスの波形をそれぞれ示している。
【００９１】
次に、図１４を参照して、走査ラインＢk（ｋは１≦ｋ≦ｎの自然数）を走査する場合を例に挙げて、電界放出型ディスプレイ５０の駆動方法について説明する。
【００９２】
本実施の形態の電界放出型ディスプレイ５０においても第２の実施の形態の電界放出型ディスプレイ４０と同様に、１水平走査期間（１Ｈ）を２つの期間に分割し、前半のＨ／２の期間で集束させた電子ビームＥを振動させて第１画像データに対応する画像を表示させ、後半のＨ／２の期間で集束させた電子ビームＥを振動させないで第２画像データに対応する画像を表示させる。
【００９３】
具体的には、時刻ｔ1において、走査ラインＢkに対応するフォーカス電極４３kに電圧ＶFF（電子ビームを集束させる電圧）、フォーカス電極４３1〜４３k-1に電子ビームＥを偏向させるための電圧ＶFW、フォーカス電極４３k+1〜４３nに電子ビームＥを偏向させるための電圧ＶF0（ＶFF＞ＶF0＞ＶFW）をそれぞれ印加すると共に、ゲート電極２５1〜２５mに第１画像データに対応するデータ用電圧パルスを印加する。
【００９４】
これにより、時刻ｔ1〜ｔ2の期間において、先の図１３で説明したような等電位線Ｄ６が形成され、冷陰極５３kから放出され、集束された電子ビームＥは冷陰極５３k+1側（電界放出型ディスプレイ５０の下方側）に偏向される。
【００９５】
なお、本実施の形態において、フォーカス電極４３1〜４３nは、電圧ＶFFのときに冷陰極エミッタ２９1〜２９nから放出された電子を通過させて蛍光体１９に到達させ、電圧ＶF0及び電圧ＶFWのときに冷陰極エミッタ２９1〜２９nから放出された電子をゲート電極２５1〜２５nに到達させる（蛍光体１９に電子ビームを照射しない）。したがって、電子ビームＥを偏向させるためには、電圧ＶFWは電圧ＶF0よりも小さくする必要があり、電圧ＶFF，ＶF0，ＶFWの大小関係は、ＶFF＞ＶF0＞ＶFWとなる。
【００９６】
次に、時刻ｔ2おいて、フォーカス電極４３1〜４３k-1に電子ビームＥを偏向させるための電圧ＶF0、フォーカス電極４３k+1〜４３nに電子ビームＥを偏向させるための電圧ＶFWをそれぞれ印加する。
【００９７】
これにより、時刻ｔ2〜ｔ3の期間において、先の図１２で説明したような等電位線Ｄ５が形成されて、冷陰極５３kから放出され、集束された電子ビームＥは冷陰極５３k-1側（電界放出型ディスプレイ５０の上方側）に偏向される。
【００９８】
このように、１水平走査期間（１Ｈ）の前半のＨ／２の期間において、フォーカス電極４３kに電圧ＶFF（電子ビームを集束させる電圧）を印加し、フォーカス電極４３1〜４３k-1とフォーカス電極４３k+1〜４３nとに位相を半波長ずらした電圧パルス（電子ビーム偏向用の電圧パルス）を印加すると共に、ゲート電極２５1〜２５mに第１画像データに対応するデータ用電圧パルスを印加することにより、集束された電子ビームＥを振動させて、第１画像データに対応する画像を表示させることができる。
【００９９】
次に、時刻ｔ3において、フォーカス電極４３k+1〜４３nに電圧ＶF0を印加すると共に、ゲート電極２５1〜２５mに第２画像データに対応するデータ用電圧パルスを印加して、後半のＨ／２の期間に集束された電子ビームＥを振動させないで第２画像データに対応する画像を表示させる。
【０１００】
続く、時刻ｔ4〜ｔ6の１水平走査期間に走査ラインＢk+1を走査する場合においても、走査ラインＢkと同様な手法により走査することができる。また、他の走査ラインＢ1〜Ｂk-1，Ｂk+2〜Ｂnについても、走査ラインＢkと同様な手法により走査することができる。
【０１０１】
本実施の形態によれば、表示画像の解像度の劣化を抑制して、高精細な画像を表示させることができると共に、電界放出型ディスプレイ５０の製造工程を簡略化することができる。また、駆動回路数を低減して、電界放出型ディスプレイ５０のコストを削減することができる。
【０１０２】
なお、図１１では、１つの板状のカソード電極５２を複数の冷陰極５３に共通の電極としたが、カソード電極５２を冷陰極５３に共通の電極とする代わりに、１つの板状のゲート電極を複数の冷陰極５３に共通の電極とし、カソード電極５２を帯状に分割してデータ用の電極として用いてもよい。
【０１０３】
以上、本発明の好ましい実施の形態について詳述したが、本発明はかかる特定の実施の形態に限定されるものではなく、特許請求の範囲内に記載された本発明の要旨の範囲内において、種々の変形・変更が可能である。本発明は、例えば、カラーではない白黒のディスプレイにも適用可能である。
【産業上の利用可能性】
【０１０４】
本発明によれば、画素間の輝度のばらつきやちらつきを低減させて、高品質な画像を得ることのできる電界放出型ディスプレイ及びその駆動方法に適用できる。
【図面の簡単な説明】
【０１０５】
【図１】本発明の第１の実施の形態の電界放出型ディスプレイの概略を示した斜視図である。
【図２】本実施の形態の冷陰極の断面図である。
【図３】ゲート電極に印加する電圧により電子ビームを偏向させたときの電界放出型ディスプレイの断面図を模式的に示した図（その１）である。
【図４】ゲート電極に印加する電圧により電子ビームを偏向させたときの電界放出型ディスプレイの断面図を模式的に示した図（その２）である。
【図５】本実施の形態の電界放出型ディスプレイの駆動波形の一例を示した図である。
【図６】本発明の第２の実施の形態の電界放出型ディスプレイの概略を示した斜視図である。
【図７】本実施の形態の冷陰極の断面図である。
【図８】電子ビームを偏向させたときの電界放出型ディスプレイの断面図を模式的に示した図（その１）である。
【図９】電子ビームを偏向させたときの電界放出型ディスプレイの断面図を模式的に示した図（その２）である。
【図１０】本実施の形態の電界放出型ディスプレイの駆動波形の一例を示した図である。
【図１１】本発明の第３の実施の形態の電界放出型ディスプレイの概略を示した斜視図である。
【図１２】電子ビームを偏向させたときの電界放出型ディスプレイの断面図を模式的に示した図（その１）である。
【図１３】電子ビームを偏向させたときの電界放出型ディスプレイの断面図を模式的に示した図（その２）である。
【図１４】本実施の形態の電界放出型ディスプレイの駆動波形の一例を示した図である。
【符号の説明】
【０１０６】
１０，４０，５０  電界放出型ディスプレイ
１１  前面板
１２，４１，５１  背面板
１３  データ用ドライバ
１４  走査用ドライバ
１５  制御装置
１６  データ入力端子
１７，２１  基板
１７Ａ  下面
１８  アノード電極
１９  蛍光体
１９Ａ  赤色蛍光体
１９Ｂ  緑色蛍光体
１９Ｃ  青色蛍光体
２１Ａ  上面
２３，２３1〜２３m，５２  カソード電極
２４，４２  絶縁層
２５，２５1〜２５n，２５k-1，２５k，２５k+1，２５1〜２５m  ゲート電極
２７，２７k-1，２７k，２７k+1，４５，４５k-1，４５k，４５k+1，５３，５３k-1，５３k，５３k+1  冷陰極
２８，４８  開口部
２９，２９k-1，２９k，２９k+1  冷陰極エミッタ
３０  データ処理手段
４３，４３1〜４３n，４３k-1，４３k，４３k+1  フォーカス電極
４６  フォーカス電極用ドライバ
５５  カソード用駆動回路
ａ  入力画像データ
Ａ  画素
Ｂ1〜Ｂn  走査ライン
Ｄ１〜Ｄ６  等電位線
Ｅ  電子ビーム
Ｆ，Ｊ，Ｋ  領域
【図１】
2007017912.tif 000003
【図２】
2007017912.tif 000004
【図３】
2007017912.tif 000005
【図４】
2007017912.tif 000006
【図５】
2007017912.tif 000007
【図６】
2007017912.tif 000008
【図７】
2007017912.tif 000009
【図８】
2007017912.tif 000010
【図９】
2007017912.tif 000011
【図１０】
2007017912.tif 000012
【図１１】
2007017912.tif 000013
【図１２】
2007017912.tif 000014
【図１３】
2007017912.tif 000015
【図１４】
2007017912.tif 000016